(57)【要約】【課題】簡単な構成により複数台の照明装置が配設された照明エリアの被照射面の照度をほぼ一定に保つと共に、天井面側の輝度のばらつきを低減することができる低コストの照明装置を提供する。【解決手段】ランプ１６と；ランプ１６からの光の被照射面による反射光の照度を検出する照度センサ１１と；ランプ１６に印加される電源電圧のゼロクロスを検出したときにゼロクロス検出信号を出力するゼロクロス検出部１４と；ゼロクロス検出信号に同期して照度センサ１１による照度検出動作を開始させ、この照度検出値が予め設定された照度目標値になるように調光するための調光信号を出力する制御部１２と；調光信号に応じて光源を調光点灯させる点灯回路１５と；を具備している。【選択図】  図１
2009301966.tif 000002
【特許請求の範囲】
【請求項１】
器具本体と；
器具本体に配設された光源と；
光源からの光の被照射面による反射光の照度を検出する照度センサと；
電源電圧のゼロクロスを検出したときにゼロクロス検出信号を出力するゼロクロス検出部と；
ゼロクロス検出信号に同期して照度センサによる照度検出動作を開始させ、この照度検出値が予め設定された照度目標値になるように調光するための調光信号を出力する制御部と；
調光信号に応じて光源を調光点灯させる点灯回路と；
を具備していることを特徴とする照明装置。
【請求項２】
器具本体と；
器具本体に配設された光源と；
光源からの光の被照射面による反射光の照度を検出する照度センサと；
電源電圧のゼロクロスを検出したときにゼロクロス検出信号を出力するゼロクロス検出部と；
照度センサにより検出された照度検出値が予め設定された照度目標値になるように調光するための調光信号をゼロクロス検出信号に同期させて出力する制御部と；
調光信号に応じて光源を調光点灯させる点灯回路と；
を具備していることを特徴とする照明装置。
【発明の詳細な説明】
【技術分野】
【０００１】
本発明は、照度センサと調光手段を具備した照明装置に関する。
【背景技術】
【０００２】
従来、この種の照明装置の一例としては、蛍光ランプやＬＥＤ（発光ダイオード）ランプ等の光源により照射される机上等の被照射面からの反射光の照度を検出する照度センサと、この照度センサにより検出された照度検出値を予め設定されている照度目標値と比較し、照度検出値が照度目標値になるように光源の光出力をフィードバック制御して調光する調光手段を具備したものが知られている。
【０００３】
そして、このように各照明装置毎に調光するスタンドアローン型の照明装置を、例えば１つの照明エリア（空間）の天井等に複数台配設した照明システムでは、初期時、この１つの照明エリア全体の明るさを、各照明装置の照度目標値をそれぞれ設定することにより設定している。したがって、初期状態では、被照射面の照度はほぼ一定であり、また天井面側の輝度、すなわち、各照明装置のランプの輝度もほぼ均等に設定することができる。
【０００４】
しかし、これら複数台の照明装置では、その各照度センサによる照度検出動作から調光手段による調光動作までのタイミングがそれぞればらばらであるので、ある照明装置の照度検出動作中に、隣接する他の照明装置が調光動作により光出力を変化させる（例えば明るくする）と、この変化が隣接する、ある照明装置の照度検出中の照度に影響を与える。このために、照度検出動作中の照明装置では、その照度変化を打ち消す方向（例えば暗くなるように）調光してしまう。このような動作の繰返しにより、これら照明装置の照明エリアにおける被照射面の平均照度はほぼ一定に制御されるが、天井面側の輝度はばらつきを始め、使用者に違和感を与えるという課題がある。
【０００５】
このような課題を解決する照明システムの一例としては、下記特許文献１に記載されたものがある。この照明システムは、１つの照明エリアに配設される複数台の照明装置同士の各照度検出動作または各調光動作を同期させる同期コマンドを親機から各照明装置にそれぞれ送信して、これら照明装置の各照度検出動作と各調光動作をそれぞれ同期させる。
【特許文献１】特開２００３−３１７９７２号公報
【発明の開示】
【発明が解決しようとする課題】
【０００６】
しかしながら、このような従来の照明システムでは、各照明装置に同期コマンドを送信する親機が必要であるうえに、この親機に各照明装置を通信線によりそれぞれ接続しなければならず、構成が複雑でコストアップを招き、施工性が悪いという課題がある。
【０００７】
本発明は、このような事情を考慮してなされたもので、その目的は、簡単な構成により複数台の照明装置が配設された照明エリアの被照射面の照度をほぼ一定に保つと共に、天井面側の輝度のばらつきを低減することができる低コストの照明装置を提供することにある。
【課題を解決するための手段】
【０００８】
請求項１に係る照明装置は、器具本体；器具本体に配設される光源と；光源からの光の被照射面による反射光の照度を検出する照度センサと；電源電圧のゼロクロスを検出したときにゼロクロス検出信号を出力するゼロクロス検出部と；ゼロクロス検出信号に同期して照度センサによる照度検出動作を開始させ、この照度検出値が予め設定された照度目標値になるように調光するための調光信号を出力する制御部と；調光信号に応じて光源を調光点灯させる点灯回路と；を具備していることを特徴とする。
【０００９】
なお、請求項１以下において、照度検出値と照度目標値は、電圧値，電流値，照度値，またはこれらのアナログ信号やデジタル信号のいずれでもよい。また、ゼロクロス検出信号もゼロクロス検出部から出力される電圧値や電流値、またはそのアナログ信号やデジタル信号のいずれでもよい。
【００１０】
さらに、光源としては例えば蛍光ランプやＬＥＤ（発光ダイオード）ランプを用いることができる。
【００１１】
請求項２に係る照明装置は、器具本体と；器具本体に配設される光源と；光源からの光の被照射面による反射光の照度を検出する照度センサと；光源に印加される電源電圧のゼロクロスを検出したときにゼロクロス検出信号を出力するゼロクロス検出部と；照度センサにより検出された照度検出値が予め設定された照度目標値になるように調光するための調光信号をゼロクロス検出信号に同期させて出力する制御部と；調光信号に応じて光源を調光点灯させる点灯回路と；を具備していることを特徴とする。
【発明の効果】
【００１２】
請求項１に係る照明装置によれば、光源に印加される電源電圧のゼロクロスを検出したゼロクロス信号に同期して照度センサによる照度検出動作を開始させることができる。
【００１３】
このために、この照明装置を１つの照明エリアの天井等に複数台配設して同一の電源を共用する場合には、これら複数台の照明装置の各照度センサによる照度検出（計測）動作をゼロクロス検出信号により相互に同期させることができるので、各照度検出（計測）動作値と各照度目標値との差に基づくフィードバック制御による各照明装置毎による調光動作も相互に同期させることができる。
【００１４】
したがって、１つの照明エリアにおいて、各照明装置毎にそれぞれ個別に行われる各調光動作が同期するので、各々の調光動作のばらつきに起因する天井面側の輝度のばらつきを低減し、ひいては、この天井面側の輝度のばらつきに起因する違和感を低減することができる。
【００１５】
請求項２に係る照明装置によれば、光源に印加される電源電圧のゼロクロスを検出したゼロクロス信号に同期して調光動作を開始させることができる。
【００１６】
このために、この照明装置を１つの照明エリアの天井等に複数台配設して同一の電源を共用する場合には、これら複数台の照明装置の各調光動作をゼロクロス検出信号により相互に同期させることができるので、各照明装置毎による調光動作も相互に同期させることができる。
【００１７】
したがって、１つの照明エリアにおいて、各照明装置毎にそれぞれ個別に行われる各調光動作が同期するので、各々の調光動作のばらつきに起因する天井面側の輝度のばらつきを低減し、ひいては、この天井面側の輝度のばらつきに起因する違和感を低減することができる。
【発明を実施するための最良の形態】
【００１８】
以下 、本発明の実施形態を添付図面に基づいて説明する。なお、複数の添付図面中、同一または相当部分には同一符号を付している。
【００１９】
図１は本発明の一実施形態に係る照明装置の複数台を例えば１つの照明エリアに配設した照明システムのブロック図、図２はこの照明システムの一部切欠模式図である。
【００２０】
図１，図２に示すように、照明システム１は例えば１つの照明エリアＡに、複数台の照明装置２，３，４を配設している。
【００２１】
これら照明装置２〜４は、１つの照明エリアＡの例えば天井に配設され、例えば２本１対の電源線５により商用電源６にそれぞれ接続され、この商用電源６を電源として使用する。電源線５の途中には、これら照明装置２〜４への通電を複数の照明エリア毎、すなわち複数の照明系統毎にオン／オフするパワースイッチ７やその点灯又は消灯の状態を表示する表示ランプ８等を備えた壁スイッチ９を具備している。
【００２２】
図１に示すように、これら照明装置２〜４はみな同一に構成されており、照明器具本体１０に、照度センサ１１、例えばマイクロプロセッサ等からなる制御部１２、不揮発性メモリ１３、ゼロクロス検出部１４、点灯装置１５、蛍光ランプやＬＥＤランプ等の光源であるランプ１６をそれぞれ配設して構成されている。
【００２３】
各照度センサ１１は各ランプ１６によりそれぞれ照射された例えば机上等の被照射面で反射された反射光を受光して被照射面の照度を検出（計測）し、その照度検出値信号を制御部１２に与える。この照度検出値信号は電圧または電流信号でもよく、あるいは照度センサ１１でこれらアナログの電圧／電流信号をデジタル信号に変換してから制御部１２に与えてもよく、または、制御部１２でデジタル信号に変換してもよい。
【００２４】
制御部１２は、この照度検出値信号を受けたときに、この照度検出値を、予め設定されてメモリ１３に記録されている照度目標値と比較し、その差がゼロになって照度検出値が照度目標値になるための調光度を演算し、その調光度信号を点灯装置１５に与える。
【００２５】
点灯装置１５は、この調光度信号に対応した調光度によりランプ１６を点灯制御する。
【００２６】
そして、この照明システム１では、その初期時、１つの照明エリアＡに複数の照明装置２〜４を配設しているために、相互に隣接する他の照明装置２〜４の発光が影響を与えるので、例えば外光の影響が無い夜間に照明エリアＡ内にある全部の照明装置２〜４を同じ出力で一斉に点灯させた状態で各照明装置２〜４の照度センサ１１の照度検出値を各照明装置２〜４の照度目標値としてメモリ１３に予め記録しておくことにより、１つの照明エリアＡ全体の明るさを設定している。
【００２７】
したがって、１つの照明エリアＡの初期状態では被照射面の照度はほぼ一定であり、また、天井面側の輝度（ランプ１６の輝度）もほぼ均一に設定できる。
【００２８】
しかし、上述したように、例えば窓際に設置された照明装置２〜４のいずれかの照明空間（ゾーン）に外光が入射してきたような場合には、各照明装置２〜４は各々個別のタイミングで調光するので、天井面側の輝度がばらつき始める。
【００２９】
そこで、本発明は、各照明装置２〜４に、各ランプ１６に印加される商用電源６の印加電圧のゼロクロスを検出するゼロクロス検出部１４，１４，１４をそれぞれ設け、このゼロクロス検出部１４，１４，１４からそれぞれ出力される各ゼロクロス検出信号を各制御部１２に与える。各々のゼロクロス検出信号は各々のゼロクロス検出部１４が商用電源６を共用しているので、みな相互に同期しており、ばらつきは殆ど無い。したがって、各制御部１２により、各照度センサ１１による照度検出（計測）動作（センシング）を、各ゼロクロス検出信号に同期させることにより、複数台の照明装置２〜４の各々の調光動作を全台同期させることができる。
【００３０】
図３はこの実施形態に係る制御部１２のＲＯＭ等に蓄積されている制御プログラムの一例のフローチャートを示す。この図３中、Ｓに処理手順を示す数字を付した符号はフローチャートの各ステップを示す。
【００３１】
まず、Ｓ１で商用電源６が投入（ＯＮ）されると、各照明装置２〜４に商用電源６がそれぞれ通電される。次のＳ２で、制御部１２は、各ゼロクロス検出部１４から出力されるゼロクロス検出信号の受信の有無によって各ゼロクロス検出部１４がその電源電圧のゼロクロスを検出したか否かを繰り返し判断し、Ｙｅｓ、すなわちゼロクロスを検出したときは、次のＳ３でゼロクロス回数をカウントし、そのゼロクロス回数が所要回数、例えば１０００回に達したか否かを次のＳ４で判断する。このゼロクロス回数１０００回は商用電源６の周波数が５０Ｈｚの場合、１０秒（ｓｅｃ）間に相当する。
【００３２】
すなわち、各ゼロクロス検出部１４による１０秒毎にゼロクロスを検出に対応して、各照度センサ１１による照度検出（計測）動作（センシング）を開始させる。これら照明装置２〜４は商用電源６を共用しているので、Ｓ２における最初のゼロクロス検出信号およびＳ４における１０秒毎のゼロクロス検出信号はみな同期している。このために、各照明装置２〜４の各照度センサ１１による照度検出動作は全部の照明装置２〜４で一斉に同一のタイミングで開始される。
【００３３】
なお、電源投入後、最初のゼロクロス検出信号を同期させることができれば、この後の照度系低のタイミングは、制御部１２のクロックや別途設けた計時機能によって制御してもよい。
【００３４】
次のＳ５で、各制御部１２は、この各照度センサ１１により検出（計測）された照度検出値を、メモリ１３から読み出した照度目標値と比較し、その差がゼロとなって照度目標値が照度目標値となるための調光度を演算し、次のＳ７で、この調光度信号を点灯装置Ｓ７に与えてランプ１６の調光度を制御する。また、Ｓ４でゼロクロスを１０００回計測後、Ｓ５に移行するとともにＳ２に戻りゼロクロス回数カウントを開始する。
【００３５】
したがって、この実施形態によれば、複数台の照明装置２〜４の各照度センサ１１によるセンシングを、これら照明装置２〜４に共用される商用電源６のゼロクロスに同期させているので、これら複数台の照明装置２〜４による調光動作のばらつきを低減し、ほぼ同期させることができる。
【００３６】
これにより、１つの照明エリアＡにおける被照射面の照度をほぼ一定に保つと共に、複数台の照明装置２〜４の各照度検出動作から各調光動作のばらつきに起因する天井面側の輝度のばらつきを低減し、ひいては、その輝度のばらつきに基づく違和感を低減することができる。
【００３７】
なお、上記実施形態では、ゼロクロス検出信号により複数台の照明装置２〜４の各照度センサ１１による照度検出（計測）動作（センシング）を同期させるように構成したが、本発明はこれに限定されるものではなく、例えば図４に示すようにゼロクロス検出信号により調光制御動作自体を直接同期させてもよい。
【００３８】
すなわち、この実施形態は、図４に示すように電源投入（Ｓ１）後、図３で示すステップＳ１〜Ｓ４までの処理系と、ステップＳ５〜Ｓ７までの処理系の２股に分岐して、これら２系統を並行に処理する点に特徴がある。そして、ゼロクロス検出部１４により検出されたゼロクロスの回数が所定回数（例えば１０００回）に達したと制御部１２が判断すると、制御部１２は、Ｓ６からＳ７へ移行し点灯装置１５に与える調光度信号の出力をこのゼロクロス信号に同期させる。このために、制御部１２から点灯装置１５に与えられるタイミングが複数台の照明装置２〜４同士間でみな同期して一致するので、各照明装置２〜４による各々の調光動作のタイミングをそれぞれ一致させることができる。
【００３９】
そして、ステップＳ４の後は、再びステップＳ２に戻って、Ｓ２以下のステップを繰り返す。また、ステップＳ７の実行後も再びステップＳ５に戻って、Ｓ５以下のステップを繰り返す。
【００４０】
この実施形態によっても、複数台の照明装置２〜４の各調光動作自体を、これら照明装置２〜４同士で直接同期させることができるので、被照射面の照度をほぼ一定に保つと共に、各調光動作のばらつきに起因する天井面側の輝度のばらつきを低減し、ひいてはこの輝度のばらつきに基づく違和感を低減することができる。
【図面の簡単な説明】
【００４１】
【図１】本発明の一実施形態に係る照明装置の複数台を具備した照明システムの一例の構成を示すブロック図。
【図２】図１で示す照明システムの構成を示す模式図。
【図３】図１で示す各照明装置の制御部の制御プログラムの一例のフローチャート。
【図４】図１で示す各照明装置の制御部の制御プログラムの他の例のフローチャート。
【符号の説明】
【００４２】
１…照明システム、２，３，４…照明装置、６…商用電源、１１…照度センサ、１２…制御部、１３…メモリ、１４…ゼロクロス検出部、１５…点灯装置、１６…ランプ。
【図１】
2009301966.tif 000003
【図２】
2009301966.tif 000004
【図３】
2009301966.tif 000005
【図４】
2009301966.tif 000006